(57)【要約】【課題】作業者が建物の床下に入らなくても、建物の建築梁に対する支持梁の掛かり代を的確かつ容易に測定することができる乗客コンベアの掛かり代測定装置及び測定方法の提供。【解決手段】本発明は、建築梁１６ａに対する支持梁１５ａの掛かり代Ｌを測定するのに用いられるエスカレータ１の掛かり代測定装置２０において、支持梁１５ａのうち建築梁１６ａ側の端部に設けられ、建物の建築床１７ａ上へ磁場を形成する磁性体２１と、建築梁１６ａのうち支持梁１５ａ側の端部に設けられ、建物の建築床１７ａ上へ磁場を形成する磁性体２２と、建物の建築床１７ａ上に配置され、磁性体２１，２２から受ける磁力に応じて、磁性体２１，２２の位置をそれぞれ測定するための位置測定装置２３とを備えた。【選択図】図４
2016132554.tif 000002
【特許請求の範囲】
【請求項１】
建物の建築梁側の端部に設けられ、前記建物の床下で前記建築梁上に載置される支持梁を備え、この支持梁を介して前記建築梁間に架け渡される乗客コンベアに設けられ、
前記建築梁に対する前記支持梁の掛かり代を測定するのに用いられる乗客コンベアの掛かり代測定装置において、
前記支持梁のうち前記建築梁側の端部に設けられ、前記建物の床上へ磁場を形成する第１の磁性体と、
前記建築梁のうち前記支持梁側の端部に設けられ、前記建物の床上へ磁場を形成する第２の磁性体と、
前記建物の床面の上方に配置され、前記第１の磁性体及び前記第２の磁性体から受ける磁力に応じて、前記第１の磁性体及び前記第２の磁性体の位置をそれぞれ測定するための位置測定装置とを備えたことを特徴とする乗客コンベアの掛かり代測定装置。
【請求項２】
請求項１に記載の乗客コンベアの掛かり代測定装置において、
前記第１の磁性体及び前記第２の磁性体は、各上面が同一の高さとなるように配置されたことを特徴とする乗客コンベアの掛かり代測定装置。
【請求項３】
請求項１に記載の乗客コンベアの掛かり代測定装置において、
前記第１の磁性体及び前記第２の磁性体は、前記支持梁の幅方向における両側端部にそれぞれ配置されるように複数設けられたことを特徴とする乗客コンベアの掛かり代測定装置。
【請求項４】
請求項１に記載の乗客コンベアの掛かり代測定装置において、
前記位置測定装置は、前記第１の磁性体及び前記第２の磁性体から受ける磁力をそれぞれ可視化する磁力可視化装置を含むことを特徴とする乗客コンベアの掛かり代測定装置。
【請求項５】
請求項１に記載の乗客コンベアの掛かり代測定装置において、
前記位置測定装置は、
前記第１の磁性体及び前記第２の磁性体から受ける磁力をそれぞれ検出する磁力検出装置を含むことを特徴とする乗客コンベアの掛かり代測定装置。
【請求項６】
請求項１ないし５のいずれか１項に記載の乗客コンベアの掛かり代測定装置を用いて前記建築梁に対する前記支持梁の掛かり代を測定する乗客コンベアの掛かり代測定方法において、
前記位置測定装置を前記建物の床面の上方に配置し、前記位置測定装置を用いて前記第１の磁性体及び前記第２の磁性体の位置を測定する位置測定ステップと、
前記位置測定ステップにおいて測定した前記第１の磁性体及び前記第２の磁性体の位置から前記掛かり代を測定する掛かり代測定ステップとを備えたことを特徴とする乗客コンベアの掛かり代測定方法。
【発明の詳細な説明】
【技術分野】
【０００１】
本発明は、建物の建築梁に対する支持梁の掛かり代を測定する乗客コンベアの掛かり代測定装置及び測定方法に関する。
【背景技術】
【０００２】
従来より、エスカレータや動く歩道等の乗客コンベアは、本体枠の上階側及び下階側の端部に取付けられた支持梁を建物の上階側及び下階側の建築梁にそれぞれ架け渡して設置される。一般に、建物の上階側及び下階側のいずれか一方では、乗客コンベアの支持梁と建物の建築梁は溶接やボルト締結等によって固定されているが、他方では、乗客コンベアの支持梁と建物の建築梁は固定されておらず、互いに摺動可能に設置されている。また、乗客コンベアの支持梁と建物の上階側及び下階側の建築梁とのいずれも固定されておらず、双方が摺動可能に設置されている乗客コンベアもある。
【０００３】
このように、建物の上階側及び下階側のいずれか一方又は双方に対して乗客コンベアが固定されていない状態（非固定）にする理由は、地震や経年劣化により建物の建築梁の間隔が広くなったり、あるいは狭くなったりした場合でも、乗客コンベアの支持梁と建物の建築梁とが摺動してその広狭を吸収することにより、乗客コンベアや建物が破損しないようにするためである。このような構造の乗客コンベアを安定的に支持するには、非固定側における乗客コンベアの支持梁が建物の建築梁に載置されている部分の寸法を示す掛かり代が一定の長さ以上に設定される必要がある。
【０００４】
一方、乗客コンベアが一旦、建物に据付けられた後では、乗客コンベアの支持梁はコンクリートで覆われることにより、建物の上階側及び下階側の各床下に隠れるので、建物の上階側及び下階側の双方において、建物の建築梁に対する支持梁の掛かり代を建物の上階側及び下階側の床面上からその変位を目視で確認することは不可能になっている。しかしながら、建物の建築梁に対する支持梁の掛かり代に変位が生じるような大地震等の揺れが発生した場合には、当該掛かり代の変位量を確認した上で、乗客コンベアの脱落の予測を判断しなければならない。なお、乗客コンベアの支持梁と建物の建築梁が固定されている側では、建物の建築梁に対する支持梁の掛かり代が減少して乗客コンベアが落下する可能性が高まるような問題は発生しない。
【０００５】
ここで、建物の建築梁に対する支持梁の掛かり代の変位量を確認する従来技術の１つとして、建物に対する可動側端部の掛かり代が予め設定された通常範囲から外れたことを検出する検出部と、検出部からの検出信号に基づいて、建物に対する可動側端部の位置の異常を検出し発報する制御部とを有するトラスずれ検出装置を備えた技術が提案されている（例えば、特許文献１参照）。
【０００６】
また、他の従来技術の１つとして、非固定側の建築梁に対する支持梁の掛かり代について、長尺の計測棒を使用し、この計測棒の一方の端部を押し当てる建築梁側の定点と乗客コンベアの支持梁側の定点とを設定し、両定点を結ぶ線に沿って計測棒の一方の端部を建築梁側の定点に押し当てて支持梁側の定点から計測棒の他方の端部までの長さを計測することにより、当該掛かり代の変位を確認する技術が提案されている（例えば、特許文献２参照）。
【０００７】
さらに、他の従来技術の１つとして、建屋の建築梁に掛ける非固定側の支持梁において、非固定側の支持梁と建築梁との掛かり代の設定距離と非固定側の支持梁の移動が許容できる掛かり代の許容距離との間にセンサを内蔵し、センサからの応答信号により、非固定側の支持梁の建築梁に対する移動距離が許容距離に近づいたことを検知する技術が提案されている（例えば、特許文献３参照）。
【先行技術文献】
【特許文献】
【０００８】
【特許文献１】特開２０１３−２４５０８３号公報
【特許文献２】特開２０１４−２４６７６号公報
【特許文献３】特開２０１４−２４６７７号公報
【発明の概要】
【発明が解決しようとする課題】
【０００９】
上述した特許文献１に開示された従来技術では、非固定側における建物の建築梁に対する支持梁の掛かり代の変位を確認することができるが、検出部として、特許文献３に示すようにセンサを用いる場合には、乗客コンベアを建物に据付けると、乗客コンベアの支持梁と同様に、センサ自体も建物の床下に埋め込まれるので、センサが故障した際にセンサの点検や交換を行うことが困難となり、当該掛かり代の測定を的確に行うことができないことが問題になっている。
【００１０】
また、特許文献２に開示された従来技術では、建物の床下の建築梁に押し当てる長尺の計測棒が使用されるので、作業者は乗客コンベアの乗降床を取外し、機械室内で計測棒を用いて建築梁に対する支持梁の掛かり代の変位の確認作業を行わなければならず、この確認作業に時間がかかることが問題になっている。特に、仮に当該掛かり代に変位が生じるような大地震が発生し、乗客コンベアを点検する台数が増加した場合には、当該掛かり代の確認作業に手間がかかり、作業者の労力が多大になることが懸念されている。
【００１１】
本発明は、このような従来技術の実情からなされたもので、その目的は、作業者が建物の床下に入らなくても、建物の建築梁に対する支持梁の掛かり代を的確かつ容易に測定することができる乗客コンベアの掛かり代測定装置及び測定方法を提供することにある。
【課題を解決するための手段】
【００１２】
上記の目的を達成するために、本発明の乗客コンベアの掛かり代測定装置は、建物の建築梁側の端部に設けられ、前記建物の床下で前記建築梁上に載置される支持梁を備え、この支持梁を介して前記建築梁間に架け渡される乗客コンベアに設けられ、前記建築梁に対する前記支持梁の掛かり代を測定するのに用いられる乗客コンベアの掛かり代測定装置において、前記支持梁のうち前記建築梁側の端部に設けられ、前記建物の床上へ磁場を形成する第１の磁性体と、前記建築梁のうち前記支持梁側の端部に設けられ、前記建物の床上へ磁場を形成する第２の磁性体と、前記建物の床面の上方に配置され、前記第１の磁性体及び前記第２の磁性体から受ける磁力に応じて、前記第１の磁性体及び前記第２の磁性体の位置をそれぞれ測定するための位置測定装置とを備えたことを特徴としている。
【００１３】
また、本発明の乗客コンベアの掛かり代測定方法は、前記発明を用いて前記建築梁に対する前記支持梁の掛かり代を測定する乗客コンベアの掛かり代測定方法において、前記位置測定装置を前記建物の床面の上方に配置し、前記位置測定装置を用いて前記第１の磁性体及び前記第２の磁性体の位置を測定する位置測定ステップと、前記位置測定ステップにおいて測定した前記第１の磁性体及び前記第２の磁性体の位置から前記掛かり代を測定する掛かり代測定ステップとを備えたことを特徴としている。
【発明の効果】
【００１４】
本発明の乗客コンベアの掛かり代測定装置及び測定方法によれば、作業者が建物の床下に入らなくても、建物の建築梁に対する支持梁の掛かり代を的確かつ容易に測定することができる。なお、上述した以外の課題、構成および効果は、以下の実施形態の説明により明らかにされる。
【図面の簡単な説明】
【００１５】
【図１】本発明に係る掛かり代測定装置の第１実施形態が適用される乗客コンベアの一例として挙げたエスカレータの構成を示す側面図である。
【図２】図１に示すＡ部を拡大して示す図である。
【図３】本発明の第１実施形態に係る乗客コンベアの掛かり代測定装置の要部を説明する平面図である。
【図４】本発明の第１実施形態に係る位置測定装置の構成を説明する図である。
【図５】本発明の第２実施形態に係る位置測定装置の構成を説明する図である。
【発明を実施するための形態】
【００１６】
以下、本発明に係る乗客コンベアの掛かり代測定装置及び測定方法を実施するための形態を図に基づいて説明する。
【００１７】
［第１実施形態］
本発明に係る掛かり代測定装置の第１実施形態が適用される乗客コンベアの一例として挙げたエスカレータの構成を示す側面図である。
【００１８】
本発明に係る掛かり代測定装置の第１実施形態は、乗客コンベア、例えば図１に示すように、建物の上階と下階とを結ぶエスカレータ１に設けられる。このエスカレータ１は、上階側の乗場の乗降口１ａと下階側の乗場の乗降口１ｂ間を走行する複数の踏段２と、これらの複数の踏段２を無端状に連結する踏段チェーン３と、各乗降口１ａ，１ｂの下方に設けられた機械室４ａ，４ｂと、これらの機械室４ａ，４ｂ内にそれぞれ設置された一対のターミナルギヤ５ａ，５ｂとを備えている。
【００１９】
各踏段２は、例えば、踏段チェーン３が前軸に設けられた前輪２ａと、この前輪２ａに追従する後輪２ｂとを有している。ターミナルギヤ５ａ,５ｂには、踏段チェーン３が無端状に巻き掛けられており、上階側のターミナルギヤ５ａが回動することにより、踏段チェーン３を介して下階側のターミナルギヤ５Ｂが従動し、踏段２が乗降口１ａ，１ｂ間を循環移動するようになっている。
【００２０】
また、エスカレータ１は、各ターミナルギヤ５ａ，５ｂ間に配設され、各踏段２を案内する案内レール（図示せず）と、複数の踏段２の側方に配置された欄干１１と、この欄干１１の上部側に摺動可能に係合し、踏段２と同期して走行する移動手摺１２と、これらの欄干１１及び移動手摺１２等を含むエスカレータ１全体の機構を支持し、鉄枠等を使用して土台を形成する本体枠１３と、各乗降口１ａ，１ｂに設けられ、利用者が踏段２へ乗降する際の踏み場を形成する乗降床１４ａ，１４ｂとを備えている。
【００２１】
本体枠１３の上階側の端部には、乗降口１ａ，１ｂ間においてエスカレータ１を支持するＬ字状の支持梁１５ａが設けられている。同様に、本体枠１３の下階側の端部には、乗降口１ａ，１ｂ間においてエスカレータ１を支持するＬ字状の支持梁１５ｂが設けられている。これらの支持梁１５ａ，１５ｂは、本体枠１３の壁面に接合された鉛直片１５ａ１，１５ｂ１と、鉛直片１５ａ１，１５ｂ１の上端部から水平方向へ延設された水平片１５ａ２，１５ｂ２とからそれぞれ構成されている。
【００２２】
一方、建物の上階側の建築梁１６ａには、支持梁１５ａの水平片１５ａ２を載置する載置台１６ａ１が固定されている。また、この載置台１６ａ１の上方には、建築梁１６ａ上から乗降床１４ａまで水平に延設された建築床１７ａが配置されている。同様に、建物の下階側の建築梁１６ｂには、支持梁１５ｂの水平片１５ｂ２を載置する載置台１６ｂ１が固定されている。また、この載置台１６ｂ１の上方には、建築梁１６ｂ上から乗降床１４ｂまで水平に延設された建築床１７ｂが配置されている。
【００２３】
図２は図１に示すＡ部を拡大して示す図である。
【００２４】
図２に示すように、上階側の支持梁１５ａは、建築梁１６ａの載置台１６ａ１上に掛けられ、建物の震動がエスカレータ１の本体枠１３に直接伝わらない構造、例えば、支持梁１５ａの水平片１５ａ２が載置台１６ａ１上に載置された状態で、支持梁１５ａ及び建築梁１６ａのうち載置台１６ａ１を介して重なり合った箇所の寸法を示す掛かり代Ｌの部分が摺動可能な非固定構造になっている。
【００２５】
一方、図１に示す下階側の支持梁１５ｂは、建築梁１６ｂの載置台１６ｂ１上に掛けられ、本体枠１３の下階側が建物に固定された構造、例えば、支持梁１５ｂの水平片１５ｂ２が載置台１６ｂ１上に載置された状態で、支持梁１５ｂ及び建築梁１６ｂのうち載置台１６ｂ１を介して重なり合った箇所の寸法を示す掛かり代Ｌの部分において、支持梁１５ｂと建築梁１６ｂとを溶接やボルト等（図示せず）で接合した固定構造になっている。
【００２６】
このように、本発明の第１実施形態に係るエスカレータ１は、支持梁１５ａ，１５ｂを介して建築梁１６ａ，１６ｂ間に架け渡されており、非固定側における建築梁１６ａに対する支持梁１５ａの掛かり代Ｌが所定の範囲内にあることを確認するために、掛かり代Ｌを測定するための掛かり代測定装置２０が設けられている。以下、この掛かり代測定装置２０の構成について、図２、図３を参照しながら詳細に説明する。
【００２７】
図３は本発明の第１実施形態に係る乗客コンベアの掛かり代測定装置の要部を説明する平面図である。
【００２８】
図２、図３に示すように、本発明の第１実施形態に係る掛かり代測定装置２０は、支持梁１５ａのうち建築梁１６ａ側の端部に設けられ、建物の建築床１７ａ上へ磁場を形成する磁性体２１（第１の磁性体）と、建築梁１６ａのうち支持梁１５ａ側の端部に設けられ、建物の建築床１７ａ上へ磁場を形成する磁性体２２（第２の磁性体）とを備えている。
【００２９】
各磁性体２１，２２は、例えば、各上面が同一の高さとなるように設定された直方体の形状を有し、互いに平行に配置されている。また、磁性体２１の建築梁１６ａ側の面（水平片１５ａ２の先端側の面）Ｂと磁性体２２の支持梁１５ａ側の面（建築梁１６ａの先端側の面）Ｃとの距離が掛かり代Ｌに等しくなるように、各磁性体２１，２２が支持梁１５ａの水平片１５ａ２及び建築梁１６ａの載置台１６ａ１上に立設されている。
【００３０】
さらに、後述の位置測定装置２３（図４参照）による磁性体２１，２２の位置の測定において、支持梁１５ａ側に取付けられた磁性体２１と建築梁１６ａ側に取付けられた磁性体２２とが区別され易いように、各磁性体２１，２２には互いに異なる磁極が用いられている。例えば、支持梁１５ａ側の磁性体２１はＮ極の磁性を帯び、建築梁１６ａ側の磁性体２２はＳ極の磁性を帯びている。そして、各磁性体２１，２２は、例えば図３に示すように、支持梁１５ａの幅方向における両側端部にそれぞれ配置されるように複数（本実施例では、２つずつ）設けられている。
【００３１】
また、本発明の第１実施形態に係る掛かり代測定装置２０は、建物の建築床１７ａの上方に配置され、磁性体２１，２２から受ける磁力に応じて、磁性体２１，２２の位置をそれぞれ測定するための前述の位置測定装置２３とを備えている。
【００３２】
図４は本発明の第１実施形態に係る位置測定装置の構成を説明する図である。
【００３３】
本発明の第１実施形態に係る位置測定装置２３は、例えば図４に示すように、磁性体２１，２２から受ける磁力をそれぞれ可視化する磁力可視化装置を含んでいる。具体的には、この磁力可視化装置は、例えば、磁力により流動する磁性流体を均一に内包した透明なフィルム状の磁性流体シートから構成されており、上階側の建築床１７ａの上面において磁性体２１，２２の上方の部分を覆うように敷設される。なお、上述した位置測定装置２３、磁力可視化装置、及び磁性流体シートはそれぞれ同一のものであるので、以下の説明において同一の符号を付す。
【００３４】
このように構成した第１実施形態に係る掛かり代測定装置２０にあっては、例えば以下の手順のようにして、建物の建築梁１６ａに対する支持梁１５ａの掛かり代Ｌを測定する作業が行われる。
【００３５】
本発明の第１実施形態に係る掛かり代測定方法は、磁性流体シート２３を上階側の建築床１７ａの上面に配置し、この磁性流体シート２３を用いて各磁性体２１，２２の位置を測定する位置測定ステップと、この位置測定ステップにおいて測定した各磁性体２１，２２の位置から建築梁１６ａに対する支持梁１５ａの掛かり代Ｌを測定する掛かり代測定ステップとを備えている。
【００３６】
具体的には、位置測定ステップでは、作業者は上階側の乗降床１４ａに乗り、建築床１７ａの上面のうち磁性体２１，２２の上方の部分に磁性流体シート２３を敷設する。このとき、磁性流体シート２３は各磁性体２１，２２によって形成された磁場内に置かれるので、磁性流体シート２３の内部の磁性流体が各磁性体２１，２２からの磁力を受けて移動し、磁力が強い箇所に集合する。
【００３７】
これにより、各磁性体２１，２２の磁力の分布を示す磁極パターンが磁性流体シート２３上に現れるので、作業者はこの磁性流体シート２３の磁極パターンを確認することにより、建築床１７ａの床下における各磁性体２１，２２の位置を測定する。
【００３８】
掛かり代測定ステップでは、作業者は、位置測定ステップにおいて測定した各磁性体２１，２２の位置から磁性体２１の建築梁１６ａ側の面Ｂと磁性体２２の支持梁１５ａ側の面Ｃとの距離をメジャー等の測定機器（図示せず）で測定することにより、建築梁１６ａに対する支持梁１５ａの掛かり代Ｌを求める。
【００３９】
このように構成した本発明の第１実施形態に係る掛かり代測定装置２０及び測定方法によれば、各磁性体２１，２２は、支持梁１５ａの水平片１５ａ２及び建築梁１６ａの載置台１６ａ１上に取付けられることにより、建物の建築床１７ａの床下に収容されても、その磁気特性を維持することができる。そのため、作業者が各磁性体２１，２２を点検したり、あるいは交換しなくて済むので、建築梁１６ａに対する支持梁１５ａの掛かり代Ｌの測定を的確に行うことができる。
【００４０】
しかも、建物の建築床１７ａ上には、各磁性体２１，２２によって磁場が形成されているので、作業者がエスカレータ１の乗降床１４ａを取外して建築床１７ａの床下に入らなくても、磁性流体シート２３を用いて各磁性体２１，２２の位置を容易に測定することができ、建築梁１６ａに対する支持梁１５ａの掛かり代Ｌが所定の範囲内にあるかどうかを迅速に確認することができる。これにより、当該掛かり代Ｌの測定作業に要する作業者の労力を十分に軽減することができる。
【００４１】
特に、本発明の第１実施形態では、磁性体２１の建築梁１６ａ側の面Ｂと磁性体２２の支持梁１５ａ側の面Ｃとの距離が掛かり代Ｌと同等になっているので、これらの各面Ｂ，Ｃ間の距離を測定するだけで当該掛かり代Ｌを効率良く求めることができ、優れた作業能率を実現することができる。
【００４２】
また、本発明の第１実施形態は、各磁性体２１，２２の上面が同一の高さに設定されているので、位置測定ステップにおいて、作業者が磁性流体シート２３を建築床１７ａの上面に敷設した際に、各磁性体２１，２２から受ける磁力の強さを磁性流体シート２３において同等に示すことができる。これにより、作業者が各磁性体２１，２２の位置を磁性流体シート２３の磁極パターンから容易に判別できるので、各磁性体２１，２２の位置の測定精度を高めることができる。
【００４３】
また、本発明の第１実施形態は、各磁性体２１，２２が支持梁１５ａの幅方向における両側端部に複数設けられているので、作業者がこれらの複数の磁性体２１，２２の上方の位置で建築梁１６ａに対する支持梁１５ａの掛かり代Ｌをそれぞれ測定することにより、支持梁１５ａの幅方向における両側端部の掛かり代Ｌがそれぞれ異なっている場合には、支持梁１５ａの水平片１５ａ２が建築梁１６ａの載置台１６ａ１に対して斜めに傾いていることを確認することができる。これにより、支持梁１５ａと建築梁１６ａとの掛かり具合を適切に把握できるので、建築梁１６ａからのエスカレータ１の脱落の予測を的確に判断することができる。
【００４４】
また、本発明の第１実施形態は、位置測定ステップにおいて、作業者が各磁性体２１，２２の位置を測定するのに磁性流体シート２３を用いることにより、磁性流体シート２３の磁極パターンとして、各磁性体２１，２２の磁力の強弱を内部の磁性流体の集合による色の濃淡で区別することができる。これにより、作業者が磁性流体シート２３の磁極パターンから目視により各磁性体２１，２２の位置を迅速に把握できるので、各磁性体２１，２２の位置の測定にかかる時間を短縮することができる。
【００４５】
［第２実施形態］
図５は本発明の第２実施形態に係る位置測定装置の構成を説明する図である。
【００４６】
本発明の第２実施形態が前述した第１実施形態と異なるのは、第１実施形態に係る位置測定装置２３は、磁性体２１，２２から受ける磁力をそれぞれ可視化する磁力可視化装置を含む場合について説明したが、図５に示すように、第２実施形態に係る位置測定装置２３Ａは、磁性体２１，２２から受ける磁力をそれぞれ検出する磁力検出装置を含んでいることである。この磁力検出装置は、例えば、Ｎ極の磁性体２１が及ぼす磁力の大きさを正の値で表し、Ｓ極の磁性体２２が及ぼす磁力の大きさを負の値で表す磁気センサとして機能する。
【００４７】
この場合、本発明の第２実施形態に係る位置測定ステップでは、作業者は建物の上階側の建築床１７ａに乗り、この建築床１７ａ上から磁力検出装置２３Ａを磁性体２１，２２の上方付近に近づける。このとき、磁力検出装置２３Ａは、各磁性体２１，２２によって形成された磁場内に置かれるので、各磁性体２１，２２から受ける磁力を数値に換算して表示する。
【００４８】
ここで、磁力検出装置２３Ａが各磁性体２１，２２の真上の位置に配置されたとき、各磁性体２１，２２から受ける磁力が最も強くなり、磁力検出装置２３Ａに表示された数値が最大値又は最小値となる。従って、作業者は、磁力検出装置２３Ａの表示を確認しながら磁力検出装置２３Ａの位置を変更することにより、磁力検出装置２３Ａの検出値が最大値と最小値を表示した位置を、建築床１７ａの床下における各磁性体２１，２２の位置として求めることができる。その他の第２実施形態の構成は、上述した第１実施形態と同様であるので、第１実施形態と同一又は対応する部分には同一の符号を付し、重複する説明を省略している。
【００４９】
このように構成した本発明の第２実施形態に係る掛かり代測定装置２０Ａ及び測定方法によれば、上述した第１実施形態と同様の作用効果が得られる他、各磁性体２１，２２の磁力の強さが磁力検出装置２３Ａによって明確に数値として表されるので、作業者がこの磁力検出装置２３Ａを用いて建物の建築床１７ａの床下における各磁性体２１，２２の位置を定量的に判別することができる。これにより、建築梁１６ａに対する支持梁１５ａの掛かり代Ｌの測定精度を向上させることができるので、当該掛かり代Ｌの測定作業に対して優れた信頼性を得ることができる。
【００５０】
なお、上述した本実施形態は、本発明を分かり易く説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。
【００５１】
本発明の第１、第２実施形態は、乗客コンベアの一例として、建物の上階と下階とを結ぶエスカレータ１を挙げた場合について説明したが、この場合に限らず、例えば、動く歩道等の乗客コンベアに適用しても良い。
【００５２】
本発明の第１、第２実施形態は、上階側の支持梁１５ａ及び建築梁１６ａのうち掛かり代Ｌの部分が摺動可能な非固定構造であり、下階側の支持梁１５ｂ及び建築梁１６ｂのうち掛かり代Ｌの部分が溶接やボルト等による固定構造である場合について説明したが、この場合に限らず、建物の上階側及び下階側において、これらの構造を逆にした本体枠１３の設置条件を適用しても良い。
【００５３】
すなわち、上階側の支持梁１５ａ及び建築梁１６ａのうち掛かり代Ｌの部分が溶接やボルト等による固定構造であり、下階側の支持梁１５ｂ及び建築梁１６ｂのうち掛かり代Ｌの部分が摺動可能な非固定構造であっても良い。この場合には、下階側の建築床１７ｂの床下における支持梁１５ｂの水平片１５ｂ２及び建築梁１６ｂの載置台１６ｂ１に磁性体２１，２２がそれぞれ取付けられる。
【００５４】
また、本体枠１３の他の設置条件として、例えば、上階側の支持梁１５ａ及び建築梁１６ａのうち掛かり代Ｌの部分、並びに下階側の支持梁１５ｂ及び建築梁１６ｂのうち掛かり代Ｌの部分が共に摺動可能な非固定構造であっても良い。この場合には、上階側の建築床１７ａの床下における支持梁１５ａの水平片１５ａ２及び建築梁１６ａの載置台１６ａ１に磁性体２１，２２がそれぞれ取付けられ、さらに下階側の建築床１７ｂの床下における支持梁１５ｂの水平片１５ｂ２及び建築梁１６ｂの載置台１６ｂ１に、上階側の磁性体２１，２２とは別に用意した磁性体２１，２２がそれぞれ取付けられる。
【００５５】
また、本発明の第１実施形態は、磁性体２１，２２から受ける磁力をそれぞれ可視化する磁力可視化装置として、磁力により流動する磁性流体を均一に内包した磁性流体シート２３を用いた場合について説明したが、この場合に限らず、各磁性体２１，２２の磁力を目視により観察できるものであれば、磁性流体シート２３以外の手段を用いても良い。例えば、砂鉄のように磁性を有する微細な金属を上階側の建築床１７ａ上に撒くことにより、この砂鉄が建築床１７ａ上で集合して形成される模様から各磁性体２１，２２の磁力を確認する方法、及び方位磁針を上階側の建築床１７ａ上に配置することにより、方位磁針が指示する方向から各磁性体２１，２２の磁力を確認する方法等が適用可能である。
【符号の説明】
【００５６】
１  エスカレータ（乗客コンベア）
２  踏段
１３  本体枠
１４ａ，１４ｂ  乗降床
１５ａ，１５ｂ  支持梁
１５ａ１，１５ｂ１  鉛直片
１５ａ２，１５ｂ２  水平片
１６ａ，１６ｂ  建築梁
１６ａ１，１６ｂ１  載置台
１７ａ，１７ｂ  建築床
２０，２０Ａ  掛かり代測定装置
２１  磁性体（第１の磁性体）
２２  磁性体（第２の磁性体）
２３  磁性流体シート（位置測定装置、磁力可視化装置）
２３Ａ  磁力検出装置（位置測定装置）
【図１】
2016132554.tif 000003
【図２】
2016132554.tif 000004
【図３】
2016132554.tif 000005
【図４】
2016132554.tif 000006
【図５】
2016132554.tif 000007